(57)【要約】【課題】線状体を利用した伝送回線を簡単かつ任意の区間に形成して送受信を可能とする。【解決手段】接地された通信線等の線状体２Ａ、２Ｂの外周を囲むように配置されかつ２分割されたトロイダル型コイル７からなる結合装置３Ａ、３Ｂと、結合装置３Ａ、３Ｂとそれぞれ周波数同調回路１２を介して接続された送信装置５及び受信装置６とを備えた誘導通信装置であって、結合装置３Ａ、３Ｂによって線状体２Ａ、２Ｂに送信装置５及び受信装置６の出力信号を誘導させてアースリタン方式により誘導通信装置の相互間の送受信を行う。【選択図】　図１
2004096566.tif 000002
【特許請求の範囲】
【請求項１】
接地された通信線等の線状体の外周を囲むように配置されかつ半割り状に形成されたトロイダル型コイルからなる結合装置と、該結合装置とそれぞれ周波数同調回路を介して接続された送信装置及び受信装置とを備えた誘導通信装置であって、結合装置によって線状体に送信装置及び受信装置の出力を誘導させてアースリタン方式により誘導通信装置の相互間の送受信を行うように構成したことを特徴とする誘導通信装置。
【発明の詳細な説明】
【０００１】
【発明が属する技術分野】
本発明は、通信ケーブルシース又はメッセンジャーワイヤー等（本明細書においては、単に線状体と言う）のに結合して送受信を行う誘導通信装置に関する。
【０００２】
【従来の技術】
従来、この種の誘導通信装置としては、平衡対メタルケーブルの絶縁心線に半割状のトロイダル型に巻回した半割状のトロイダル型コイルを装設し、このトロイダル型コイルから前記平衡対メタルケーブルに流れている信号を取出し、該平衡対メタルコイルに信号を流して送受信するように構成されたものが案出されている（例えば、特許文献１参照。）。
また、コイルを磁性体に巻付けるとともに同調回路を設けた電磁誘導結合器をトランシーバーに設けて、該電磁誘導結合器によって電磁誘導により受発信信号を制御するとともに、電力ケーブルシース又は配線等に各トランシーバーの電磁誘導結合器を電力ケーブルシース又は配線等に近接又は接触させて、一方のトランシーバーの発する電波を誘導して他方のトランシーバーでこれを受信して情報を相互に伝達するように構成されたものが案出されている（例えば、特許文献２参照。）。
【０００３】
【特許文献１】
特開昭６３−２４２０３３号公報（第２−３頁、第１図）
【特許文献２】
特開２０００−２８６７５９号公報（第２−３頁、図３）
【０００４】
【発明が解決しようとする課題】
しかしながら、上記した従来の装置にあって、前者のものにおいては、あくまでも、メタル通信線路の絶縁心線を切断することなく分岐して送受信を行うことにとどまるものあり、後者のものにおいては、とう道トンネル等の閉塞地域内という限られた通信にとどまるもので、片通信携帯式を基本にした無線通信で音声を伝送するものであった。
そこで、本発明は、上記した従来の両装置とは異なる誘導通信装置であって、例えば、工事、保守等臨時に、一時的な回線構成を必要とするときに使用でき、既設の線状体を利用した伝送回線を簡単かつ任意の区間に形成して送受信を可能とした誘導通信装置を提供することを目的とするものである。
【０００５】
【課題を解決するための手段】
請求項１記載の発明にあっては、接地された通信線等の線状体の外周を囲むように配置されかつ半割り状に形成されたトロイダル型コイルからなる結合装置と、該結合装置とそれぞれ周波数同調回路を介して接続された送信装置及び受信装置とを備えた誘導通信装置であって、結合装置によって線状体に送信装置及び受信装置の出力を誘導させてアースリタン方式により誘導通信装置の相互間の送受信を行うように構成したことを要旨とする。
【０００６】
この構成によれば、送受信装置のそれぞれの結合装置を線状体に配置することによって、該送信装置からの送信信号を結合装置により誘導してその送信信号を線状体に伝送し、線状体からの受信信号を結合装置により誘導して受信装置に伝送する送受信をアースリタン方式によって行うものであり、線状体を利用した伝送回線を簡単かつ任意の区間に形成して誘導通信装置の相互間の送受信を可能にするものである。
また、結合装置による誘導電力の増大を図るとともに、それぞれの送信装置及び受信装置との間に周波数同調回路を設けることにより、誘導通信装置として高品質でかつ多チャンネル化が可能となる。
【０００７】
【発明の実施の形態】
以下、本発明を具体化した各実施の形態を図にしたがって詳述する。
図１に示すように、誘導通信装置１は、両端または任意の点で接地されている通信ケーブルのシース又はメッセンジャーワイヤー、吊線等の線状体２Ａに配置される結合装置３Ａと、該結合装置３Ａにケーブル４Ａを介して接続された送信装置５と、同じく通信ケーブルのシース又はメッセンジャーワイヤー等の線状体２Ｂに配置される結合装置３Ｂと、該結合装置３Ｂにケーブル４Ｂを介して接続された受信装置６とから構成されていて、親装置としての一つの誘導通信装置１Ａと、該親装置としての誘導通信装置１Ａと送受信可能な子装置としての誘導通信装置１ａとを備えている。なお、子装置については、周波数分割で複数個、例えば、５台まで追加することができる。
【０００８】
図２、図３に示すように、前記結合装置３Ａはトロイダル型コイル７によりその主体部が構成され、該トロイダル型コイル７は半割り円形状に形成されるとともに、それぞれのコア７ａ、７ｂが半割り状のカバー部材８に装設されている。
【０００９】
このカバー部材８は前記トロイダル型コイル７のそれぞれのコア７ａ、７ｂの外周を覆うように形成されたほぼ半円弧状の一対のカバー部８ａ、８ｂと、該カバー部８ａ、８ｂの一方端部に交差状に一体形成された握手部９ａ、９ｂとからなり、このカバー部８ａ、８ｂを握手部９ａ、９ｂ側を支点として他方端部を開口及び閉口するように開閉動可能に組付けられるとともに、カバー部８ａ、８ｂ（握手部９ａ、９ｂ）間に弾装されたスプリング１０により常にはカバー部８ａ、８ｂをその他方端部を閉口する方向に付勢されている。
【００１０】
なお、カバー部８ａ、８ｂのいずれか一方には該結合装置３Ａのトロイダル型コイル７と送信装置５とをケーブル４Ａを介して接続するための接続端子１１が形成されている。また、受信装置６側の結合装置３Ｂは前述した結合装置３Ａと同様に構成されているためその説明を省略する。
【００１１】
しかして、両結合装置３Ａ、３Ｂは、図４、図５に示すように、線状体２Ａ、２Ｂに対してその半割り構造を介して巻回状態で装設されるものである。
【００１２】
また、図２ａ及び図６ａに示すように、前記結合装置３Ａ、３Ｂにおけるトロイダル型コイル７と送信装置５及び受信装置との間には、コンデンサ１２ａとトロイダル型コイル７に巻回されたコイル１２ｂによる周波数同調回路１２が設けられている。
【００１３】
そして、この周波数同調回路１２は、図６ｂに示すように、前記コンデンサ１２ａとトロイダル型コイル７に巻回されたコイル１２ｂとを２ヶ所に設けて信号に位相差をもたした構成としてもよく、また、トロイダル型コイル７に巻回されたコイル１２ｂと、さらに３つのコイル１２ｃ〜１２ｃ及びコンデンサ１２ａ〜１２ａとを接続してフィルタ効果をもたすように構成してもよい。
【００１４】
上述のように構成された親装置としての誘導通信装置１Ａ及び複数の子装置としての誘導通信装置１ａによる通信方法について説明する。
【００１５】
さて、図１に示すように、親装置としての誘導通信装置１Ａの送信装置５及び受信装置６のそれぞれの結合装置３Ａ、３Ｂを線状体２Ａ、２Ｂに対してその半割り構造を介して巻回状態で配置する。このように、線状体２Ａ、２Ｂに分割することにより、送信出力が、受信装置に回り込み、妨害を与えのを防止することができる。
【００１６】
すなわち、両結合装置３Ａ、３Ｂにおいて、カバー部材８をスプリング１０の付勢力に抗して開動作してその開口部から線状体２Ａ（２Ｂ）の外周に対して嵌込み該カバー部材８の開動作を止めて、そのままスプリング１０の付勢力により開口部を閉口して線状体２Ａ（２Ｂ）に配置する。
【００１７】
上記状態において、親装置としての誘導通信装置１Ａにおける送信動作については、マイク（図示しない）等により外部から音声を入力すると、該音声の入力信号が音声増幅手段（図示しない）によって一定レベルに増幅されて送信装置５に入力され、該送信装置５において、その変調回路によって所定周波数の変調波に変換され、トロイダル型コイル７を主体とする結合装置３Ａを介して線状体２Ａに送出（伝送）される。
【００１８】
そして、親装置としての誘導通信装置１Ａと同様に線状体２Ａ、２Ｂに対して両結合装置３Ａ、３Ｂを介して配置された子装置としての誘導通信装置１ａは同時に親装置としての誘導通信装置１Ａからの信号を受信するものである。
【００１９】
次いで、親装置としての誘導通信装置１Ａにおける受信動作については、子装置としての誘導通信装置１ａからそれぞれ異なった周波数で変調された信号を線状体２Ｂから結合装置３Ｂを介して受信装置６により受信し、該受信装置６において、子装置の周波数に該当する受信装置６により音声信号に変換されて音声増幅手段（図示しない）に入力され、該音声増幅手段により一定レベルに増幅されてスピーカ（図示しない）等により外部に音声を出力する。
【００２０】
なお、前記トロイダル型コイル７を主体とする結合装置３Ａ、３Ｂの動作原理については、一般に知られているように、線状体２Ａ、２Ｂに信号電流が流れると、アンペアの右ねじの法則により、線状体２Ａ、２Ｂの円周方向に磁界が生起し、その磁界が線状体２Ａ、２Ｂの周囲にループ上に配置したトロイダル型コイル７に収束され、ニューマンの法則によりトロイダル型に巻回したコア７ａ、７ｂに起電力を生起する効果を利用するものである。
【００２１】
次に、子装置としての誘導通信装置１ａにおける送信動作については、親装置としての誘導通信装置１Ａと同様にして、マイク（図示しない）等により外部から音声を入力すると、該音声の入力信号が音声増幅手段（図示しない）によって一定レベルに増幅されて送信装置５に入力され、該送信装置５において、自局に割り当てられた周波数に変調波に変換され、その変調された信号をトロイダル型コイル７を主体とする結合装置３Ａを介して線状体２Ａに送出（伝送）される。
【００２２】
そして、親装置としての誘導通信装置１Ａにおける結合装置３Ｂを介して受信装置６により受信し、親装置としての誘導通信装置１Ａにおいて子装置の周波数に該当する受信装置６によりそれぞれの音声信号に変換されて音声増幅手段（図示しない）に入力され、該音声増幅手段により一定レベルに増幅されてスピーカ（図示しない）等により外部に音声を出力し、当該子装置としての誘導通信装置１ａとの受信（通話）を行うものである。
【００２３】
つぎに、子装置としての誘導通信装置１ａにおける受信動作については、親装置としての誘導通信装置１Ａと同様にして、該親装置としての誘導通信装置１Ａからの信号を線状体２Ａから結合装置３Ａを介して受信装置６により受信し、該受信装置６によりそれぞれの音声信号に変換されて音声増幅手段（図示しない）に入力され、該音声増幅手段により一定レベルに増幅されてスピーカ（図示しない）等により外部に音声を出力する。
【００２４】
以上のように、親装置としての誘導通信装置１Ａと子装置としての誘導通信装置１ａとの送受信（通話）を、両端または任意の点で接地されている線状体２Ａ、２Ｂと、親装置としての誘導通信装置１Ａと、子装置としての誘導通信装置１ａとで形成されるアースリタン方式によって行うことができる。
【００２５】
次に、図７に示す別の実施の形態について説明すると、この場合は、線状体２Ａ、２Ｂを一般の電灯線２Ｃとした場合に対応する誘導通信装置１であって、送信装置５及び受信装置６の結合装置３Ａに前記電灯線２Ｃのコンセント１５に接続（結合）される差込プラグ１６を設けた態様で、その余の構成は前述した実施の形態と同様であり、同様の構成については同符号を付してその説明を省略する。
【００２６】
したがって、この実施の形態においては、誘導通信装置１における差込プラグ１６を電灯線２Ｃのコンセント１５に接続（結合）して、電灯線２Ｃを線状体として利用するものであり、前述した実施の形態と同様に、親装置としての誘導通信装置１と、子装置としての誘導通信装置１ａとの双方向通信を行うことができる。
【００２７】
【発明の効果】
請求項１に記載の発明にあっては、送受信装置のそれぞれの結合装置を線状体に配置することによって、該送信装置からの送信信号を結合装置により誘導してその送信信号を線状体に伝送し、線状体からの受信信号を結合装置により誘導して受信装置に伝送する送受信をアースリタン方式によって行うものであり、線状体を利用した伝送回線を簡単かつ任意の区間に形成して誘導通信装置の相互間の送受信を可能にすることができる。
【００２８】
さらに、結合装置による誘導電力の増大を図るとともに、それぞれの送信装置及び受信装置との間に周波数同調回路を設けることにより、誘導通信装置として高品質でかつ多チャンネル化が可能となる。
【図面の簡単な説明】
【図１】本発明の実施の形態における誘導通信装置を略示する説明図である。
【図２】ａ、ｂは結合装置を略示する説明図である。
【図３】同じく、結合装置を略示する説明図である。
【図４】同じく、線状体に対する結合装置の配置状態を示す説明図である。
【図５】同じく、線状体に対する結合装置の配置状態を断面で示す説明図である。
【図６】ａ、ｂ、ｃは同調回路の説明図である。
【図７】別の実施の形態における誘導通信装置を略示する説明図である。
【符号の説明】
１　誘導通信装置
２Ａ、２Ｂ　線状体
３Ａ、３Ｂ　結合装置
５　送信装置
６　受信装置
７　トロイダル型コイル
１２　周波数同調回路
【図１】
2004096566.tif 000003
【図２】
2004096566.tif 000004
【図３】
2004096566.tif 000005
【図４】
2004096566.tif 000006
【図５】
2004096566.tif 000007
【図６】
2004096566.tif 000008
【図７】
2004096566.tif 000009